(57)【要約】【課題】簡単な構造により、隣り合う発光装置どうしの境界部が暗くなってしまうことを抑制する。【解決手段】発光装置１００は、透光性の基材１１０と、基材１１０との間に密閉領域３０が形成されるように基材１１０の周縁部に固定された封止部材１６０と、密閉領域３０に配置された有機ＥＬ２０と、を備える。有機ＥＬ層２０は、基材１１０側および封止部材１６０側の双方に向けて光を放射するものである。封止部材１６０は、当該封止部材１６０に入射する光を基材１１０の周縁部に導くものである。【選択図】図１
2015026576.tif 000002
【特許請求の範囲】
【請求項１】
透光性の基材と、
前記基材との間に密閉領域が形成されるように前記基材の周縁部に固定された封止部材と、
前記密閉領域に配置された有機ＥＬ層と、
を備え、
前記有機ＥＬ層は、発光層を含み、前記基材における前記密閉領域側の面に設けられ、且つ、前記基材側および前記封止部材側の双方に向けて光を放射するものであり、
前記封止部材は、当該封止部材に入射する光を前記基材の周縁部に導くものである発光装置。
【請求項２】
前記有機ＥＬ層へ電流を供給するための電気配線を備え、
前記電気配線は、前記密閉領域の外部から、前記封止部材と前記基材との固定部を通過して、前記密閉領域に導入され、
前記電気配線において、少なくとも前記封止部材と前記基材との前記固定部を通過する部分は、透光性である請求項１に記載の発光装置。
【請求項３】
透光性の基材と、
前記基材との間に密閉領域が形成されるように前記基材の周縁部に固定された封止部材と、
前記密閉領域に配置された有機ＥＬ層と、
前記密閉領域に配置された発光部と、
を備え、
前記有機ＥＬ層は、発光層を含み、前記基材における前記密閉領域側の面に設けられ、少なくとも前記基材側に向けて光を放射するものであり、
前記発光部は、前記封止部材における前記密閉領域側の面に設けられ、少なくとも前記封止部材側に向けて光を放射するものであり、
前記封止部材は、当該封止部材に入射する光を前記基材の周縁部に導くものである発光装置。
【請求項４】
前記有機ＥＬ層および前記発光部へ電流を供給するための電気配線を備え、
前記電気配線は、前記密閉領域の外部から、前記封止部材と前記基材との固定部を通過して、前記密閉領域に導入され、
前記電気配線において、少なくとも前記封止部材と前記基材との前記固定部を通過する部分は、透光性である請求項３に記載の発光装置。
【発明の詳細な説明】
【技術分野】
【０００１】
本発明は、発光装置に関する。
【背景技術】
【０００２】
有機ＥＬ（Ｅｌｅｃｔｒｏ  Ｌｕｍｉｎｅｓｃｅｎｃｅ）層は、水分や酸素で劣化してしまうことを抑制するため、封止部材を用いて封止されることが一般的である。有機ＥＬ層は、例えば、透光性の基材の一方の面上に設けられ、封止部材は、基材の周縁部に対して固定される。一般的に、基材と封止部材との固定部は非発光領域となる。このため、封止部材により封止された有機ＥＬ層を有する発光装置をタイリングした場合、複数の発光装置をたとえ隙間無く並べたとしても、隣り合う発光装置どうしの境界部に位置する非発光領域が暗くなり目地のように見えてしまうので、見栄えが悪くなる。
【０００３】
隣り合う発光装置どうしの境界部が暗くなってしまうことを抑制する技術としては、特許文献１〜４に記載のものがある。
【０００４】
特許文献１〜４には、隣り合う発光装置どうしの境界部に構造物を設け、光の反射や屈折を利用して隣り合う発光装置どうしの境界部を明るく見せる技術が記載されている。
【先行技術文献】
【特許文献】
【０００５】
【特許文献１】特開２００５−３５３５６０号公報
【特許文献２】特開２００８−２６９９６２号公報
【特許文献３】特開２００９−２５９５５９号公報
【特許文献４】特開２００５−３５３５６４号公報
【発明の概要】
【発明が解決しようとする課題】
【０００６】
特許文献１〜４の技術では、隣り合う発光装置どうしの境界部に複雑な構造物を形成する必要がある。
【０００７】
本発明が解決しようとする課題としては、簡単な構造により、隣り合う発光装置どうしの境界部が暗くなってしまうことを抑制することが一例として挙げられる。
【課題を解決するための手段】
【０００８】
請求項１に記載の発明は、
透光性の基材と、
前記基材との間に密閉領域が形成されるように前記基材の周縁部に固定された封止部材と、
前記密閉領域に配置された有機ＥＬ層と、
を備え、
前記有機ＥＬ層は、発光層を含み、前記基材における前記密閉領域側の面に設けられ、且つ、前記基材側および前記封止部材側の双方に向けて光を放射するものであり、
前記封止部材は、当該封止部材に入射する光を前記基材の周縁部に導くものである発光装置である。
【０００９】
請求項３に記載の発明は、
透光性の基材と、
前記基材との間に密閉領域が形成されるように前記基材の周縁部に固定された封止部材と、
前記密閉領域に配置された有機ＥＬ層と、
前記密閉領域に配置された発光部と、
を備え、
前記有機ＥＬ層は、発光層を含み、前記基材における前記密閉領域側の面に設けられ、少なくとも前記基材側に向けて光を放射するものであり、
前記発光部は、前記封止部材における前記密閉領域側の面に設けられ、少なくとも前記封止部材側に向けて光を放射するものであり、
前記封止部材は、当該封止部材に入射する光を前記基材の周縁部に導くものである発光装置である。
【図面の簡単な説明】
【００１０】
【図１】図１（ａ）は実施形態に係る発光装置の正面断面図、図１（ｂ）は実施形態に係る発光装置の平面図である。
【図２】図２（ａ）は実施例１に係る発光装置の正面断面図、図２（ｂ）は実施例１に係る発光装置の平面図である。
【図３】図２（ａ）のＡ部を示す拡大断面図である。
【図４】発光素子の有機機能層の層構造の第１例を示す断面図である。
【図５】発光素子の有機機能層の層構造の第２例を示す断面図である。
【図６】図６（ａ）は実施例２に係る発光装置の正面断面図、図６（ｂ）は実施例２に係る発光装置の平面図である。
【図７】実施例３に係る発光装置の正面断面図である。
【図８】実施例４に係る発光装置の正面断面図である。
【図９】実施例５に係る発光装置の正面断面図である。
【図１０】実施例６に係る発光装置の正面断面図である。
【図１１】実施例７に係る発光装置の正面断面図である。
【発明を実施するための形態】
【００１１】
以下、実施の形態について、図面を用いて説明する。尚、すべての図面において、同様の構成要素には同一の符号を付し、適宜説明を省略する。
【００１２】
図１（ａ）は実施形態に係る発光装置１００の正面断面図、図１（ｂ）は実施形態に係る発光装置１００の平面図である。本実施形態に係る発光装置１００は、透光性の基材１１０と、基材１１０との間に密閉領域３０が形成されるように基材１１０の周縁部に固定された封止部材１６０と、密閉領域３０に配置された有機ＥＬ層２０と、を備える。有機ＥＬ層２０は、発光層を含み、基材１１０における密閉領域３０側の面に設けられている。有機ＥＬ層２０は、基材１１０側および封止部材１６０側の双方に向けて光を放射するものである。封止部材１６０は、当該封止部材１６０に入射する光を基材１１０の周縁部に導くものである。発光装置１００は、例えばディスプレイ、照明装置、又は光通信装置の光源として用いることができる。
【００１３】
以下においては、説明を簡単にするため、発光装置１００の各構成要素の位置関係（上下関係等）が各図に示す関係であるものとして説明を行う場合がある。ただし、この説明における位置関係は、発光装置１００の使用時や製造時の位置関係とは無関係である。
【００１４】
発光装置１００の平面形状は特に限定されない。発光装置１００の平面形状は多角形、円形、楕円形、或いはその他の任意の形状とすることができる。一例として、図１（ｂ）には、発光装置１００の平面形状が矩形状（特に正方形状）である場合を図示している。
【００１５】
基材１１０は、ガラスや樹脂などの透光性を有する材料からなる板状部材である。なお、基材１１０は、透光性のフィルムであっても良い。例えば、基材１１０における下側の面１１０ａ（密閉領域３０側とは反対側の面）は、光取り出し面となっており、光放出空間を充たす空気（屈折率１）と接している。なお、基材１１０には、その下側の面１１０ａを覆う光取り出しフィルム（図示略）が設けられ、この光取り出しフィルムにおける下側の面が光取り出し面を構成していても良い。
【００１６】
封止部材１６０は、例えば、ガラス、又は樹脂等の材料により構成されており、該封止部材１６０に入射する光を基材１１０の周縁部へ導く。なお、封止部材１６０の表面には、光反射層が形成されていても良い。
【００１７】
封止部材１６０は、例えば、凹部を有するトレー状の形状のものである。封止部材１６０は、例えば、天面部と、四方の側壁部と、を有している。封止部材１６０の天面部と側壁部との境界部には、曲面状に面取りされたＲ形状部１６１が形成されていることが好ましい。これにより、封止部材１６０の天面部に入射した光を、封止部材１６０の側壁部へとスムーズに導くことができる。なお、Ｒ形状部１６１の曲率半径は、封止部材１６０の厚み以上であることが好ましい。
【００１８】
封止部材１６０の四方の側壁部の下端部は、一繋がりの環状の開口端となっている。封止部材１６０は、開口端が全周に亘って連続的に基材１１０の周縁部に固定されている。なお、封止部材１６０と基材１１０との固定部４０（図１（ａ））は、図１（ｂ）の方向に発光装置１００を見たときには、発光装置１００の周縁部に沿う枠状の部分となる。
【００１９】
上記のように、有機ＥＬ層２０は、基材１１０側および封止部材１６０側の双方に向けて光を放射する。
基材１１０は透光性であるため、有機ＥＬ層２０から基材１１０側に放射された光の一部は、基材１１０を透過して発光装置１００の外部に放射される。
一方、封止部材１６０は、当該封止部材１６０に入射する光を基材１１０の周縁部に導く。このため、有機ＥＬ層２０から封止部材１６０側に放射された光の一部は、封止部材１６０を通して基材１１０の周縁部に導かれ、基材１１０の周縁部から発光装置１００の外部に放射される。その結果、有機ＥＬ層２０の発光時において、封止部材１６０と基材１１０との固定部４０、すなわち図１（ｂ）における発光装置１００の周縁部が暗くなってしまうことを抑制することができる。
【００２０】
以上、本実施形態によれば、発光装置１００は、透光性の基材１１０と、基材１１０との間に密閉領域３０が形成されるように基材１１０の周縁部に固定された封止部材１６０と、密閉領域３０に配置された有機ＥＬ層２０と、を備える。有機ＥＬ層２０は、発光層を含み、基材１１０における密閉領域３０側の面に設けられ、且つ、基材１１０側および封止部材１６０側の双方に向けて光を放射するものである。封止部材１６０は、当該封止部材１６０に入射する光を基材１１０の周縁部に導くものである。よって、有機ＥＬ層２０から封止部材１６０側に放射された光の一部は、封止部材１６０を通して基材１１０の周縁部に導かれ、基材１１０の周縁部から発光装置１００の外部に放射される。よって、有機ＥＬ層２０の発光時において、発光装置１００の周縁部が暗くなってしまうことを抑制することができる。よって、例えば、複数の発光装置１００をタイリングした場合などにおいて、隣り合う発光装置１００どうしの境界部が暗くなってしまうことを抑制することができる。
【実施例】
【００２１】
（実施例１）
図２（ａ）は実施例１に係る発光装置１００の正面断面図、図２（ｂ）は実施例１に係る発光装置１００の平面図である。本実施例では、上記の実施形態に係る発光装置１００のより具体的な構造の例を説明する。
【００２２】
図２（ａ）に示すように、有機ＥＬ層２０は、例えば、第１電極１３０と、有機機能層１４０と、第２電極１５０と、絶縁部１７０と、を備える。
【００２３】
第１電極１３０は、基材１１０の一方の面側（図２（ａ）における上面側）に配置されている。第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極である。
【００２４】
有機機能層１４０は、第１電極１３０を基準として基材１１０側とは反対側に配置されている。つまり、有機機能層１４０と基材１１０との間に第１電極１３０が配置されている。有機機能層１４０は、発光層を含んで構成されている。
【００２５】
第２電極１５０は、有機機能層１４０を基準として第１電極１３０側とは反対側に配置されている。つまり、第１電極１３０と第２電極１５０との間に有機機能層１４０が配置されている。第２電極１５０は、例えば、Ａｇ、Ａｕ、Ａｌなどの金属薄膜からなる。第２電極１５０は、光が透過する程度に薄く形成されている。
【００２６】
これにより、有機ＥＬ層２０は、基材１１０側および封止部材１６０側の双方に向けて光を放射することが可能となっている。
【００２７】
ただし、第１電極１３０を、光が透過する程度に薄い金属薄膜として、第２電極１５０を、ＩＴＯやＩＺＯなどの金属酸化物導電体からなる透明電極としても良い。
【００２８】
第１電極１３０と第２電極１５０とのうちの何れか一方が陽極であり、何れか他方が陰極である。陰極を構成する材料と陽極を構成する材料とは、仕事関数が互いに異なっている。
【００２９】
例えば、基材１１０の一方の面（図２（ａ）における上面）と第１電極１３０の一方の面（図２（ａ）における下面）とが相互に接している。また、第１電極１３０の他方の面（図２（ａ）における上面）と有機機能層１４０の一方の面（図２（ａ）における下面）とが相互に接している。また、有機機能層１４０の他方の面（図２（ａ）における上面）と第２電極１５０の一方の面（図２（ａ）における下面）とが相互に接している。ただし、基材１１０と第１電極１３０との間には他の透光性の層が存在していても良い。
【００３０】
絶縁部１７０は、第１電極１３０と第２電極１５０とを相互に絶縁するためのものである。絶縁部１７０は、例えば、第１電極１３０の端部を覆うように基材１１０上に形成されている。絶縁部１７０は、例えば、上側に向けて幅狭となる断面台形状に形成されている。絶縁部１７０は、図２（ａ）の紙面の手前から奥に向けて延びている。絶縁膜１７０は発光装置１００の発光部を取り囲むように形成されていることが好ましい。
【００３１】
第２電極１５０の一端部は、絶縁部１７０の上を乗り越えて、絶縁部１７０の他方の側面よりも外側に引き出されている。第２電極１５０においてこのように引き出された部分は、端子部１５１を構成している。端子部１５１は、例えば、基材１１０の一方の面上に位置している。
【００３２】
第１電極１３０と第２電極１５０との接触が抑制されるように、有機機能層１４０はその一端部が少なくとも絶縁部１７０の一方の側面に乗り上げるように形成されている。有機機能層１４０の一端部は絶縁部１７０の上面に乗り上げていても良いし、絶縁膜１７０を乗り越えていても良い。
【００３３】
発光装置１００は、更に、引き出し配線（電気配線）５０と引き出し配線（電気配線）１３１とを有している。引き出し配線５０、１３１は、それぞれ、密閉領域３０の外部から、封止部材１６０と基材１１０との固定部４０を通過して、密閉領域３０に導入されている。引き出し配線５０、１３１は、例えば、基材１１０の一方の面上に形成されている。引き出し配線５０は、基材１１０の一の辺の近傍に配置され、引き出し配線１３１は、基材１１０の一の辺に対向する辺の近傍に配置されている。ただしこれに限られず、引き出し配線５０を基材１１０の対向する二辺に配置し、残りの対向する二辺に引き出し配線１３１を配置しても良い。引き出し配線５０における密閉領域３０側の端部には、端子部１５１が接続されている。また、引き出し配線１３１における密閉領域３０側の端部には、第１電極１３０の他端部（絶縁部１７０側とは反対側の端部）が接続されている。
【００３４】
ここで、引き出し配線５０、１３１は、例えばＩＴＯやＩＺＯなどの金属酸化物導電体からなる透光性の配線である。
【００３５】
封止部材１６０の開口端は、接着剤４５を介して、基材１１０の周縁部に固定されている。なお、引き出し配線５０、１３１が形成されている箇所では、封止部材１６０の開口端は、透光性の接着剤４５を介して引き出し配線５０、１３１に固定されている。
【００３６】
平面視において第１電極１３０、有機機能層１４０および第２電極１５０が互いに重なっている領域が発光領域（発光部）である。引き出し配線５０において密閉領域３０の外部に位置する部分と、引き出し配線１３１において密閉領域３０の外部に位置する部分と、の間に電圧を印加することにより、第１電極１３０と第２電極１５０との間に電圧が印加される。これにより、発光領域（発光部）の有機機能層１４０の発光層が発光する。
【００３７】
基材１１０、第１電極１３０、有機機能層１４０および第２電極１５０は、いずれも、有機機能層１４０の発光層が発光した光の少なくとも一部を透過する。
【００３８】
発光層が発光した光の一部は、基材１１０の面１１０ａから、発光装置１００の外部（つまり上記光放出空間）に放射される（取り出される）。
【００３９】
一方、発光層が発光した光の他の一部は、第２電極１５０の上面から、密閉領域３０内に向けて（封止部材１６０側に向けて）放射される。この光は、封止部材１６０に入射し、封止部材１６０を通して基材１１０の周縁部に導かれる。すなわち、封止部材１６０により導かれた光は、透光性の接着剤４５を通して基材１１０の周縁部に入射し、基材１１０の下側の面１１０ａから発光装置１００の外部に放射される。なお、接着剤４５と基材１１０との間に引き出し配線５０又は１３１が介在している部分では、封止部材１６０により導かれた光は、透光性の接着剤４５と、引き出し配線５０又は１３１と、を通して基材１１０の周縁部に入射する。
【００４０】
ここで、発光装置１００は、有機ＥＬ層２０へ電流を供給するための電気配線（引き出し配線５０、１３１）を備え、電気配線は、密閉領域３０の外部から、封止部材１６０と基材１１０との固定部４０を通過して、密閉領域３０に導入されている。そして、電気配線において、少なくとも封止部材１６０と基材１１０との固定部４０を通過する部分は、透光性である。このため、封止部材１６０から基材１１０の周縁部へ光が伝達する際に、その光が引き出し配線５０、１３１によって妨げられてしまうことを抑制することができる。よって、発光装置１００の周縁部が暗くなってしまうことをより好適に抑制することができる。
【００４１】
図３は図２（ａ）のＡ部を示す拡大断面図である。図３に示すように、封止部材１６０の内面（密閉領域３０側の面）には、複数のスリットからなる凹凸構造１６５が形成されている。これにより、有機ＥＬ層２０から封止部材１６０に向けて放射された光を封止部材１６０に導入しやすくするための光取り込み口が構成されている。
なお、封止部材１６０の表面において、光取り込み口以外の部分は、表面ラフネスを小さく（例えば表面粗さＲａを１０μｍ以下に）設定することが好ましい。このようにすることにより、封止部材１６０により効率よく光を導波することができる。
【００４２】
封止部材１６０は、例えば、ガラス（屈折率１．５）又はポリカーボネート（屈折率１．６）などの屈折率が高い材料により構成されている。
【００４３】
次に、本実施例に係る発光装置１００を製造する方法の一例を説明する。
【００４４】
先ず、基材１１０上にスパッタリング法などによりＩＴＯやＩＺＯなどの金属酸化物導電体からなる透光性の導電膜を成膜し、エッチングによりこれをパターニングして第１電極１３０を形成する。この際に、引き出し配線１３１および引き出し配線５０も、第１電極１３０と同じ材料により一括して形成する。引き出し配線１３１は、第１電極１３０と一体的に形成し、引き出し配線５０は第１電極１３０と離間して形成する。
【００４５】
次に、基材１１０上および第１電極１３０上に感光性の絶縁膜、例えばポリイミド膜を形成し、この絶縁膜を露光及び現像する。これにより、絶縁部１７０を形成する。
【００４６】
次に、第１電極１３０上に有機材料を塗布することにより有機機能層１４０を形成する。
【００４７】
次に、有機機能層１４０上、絶縁部１７０上および基材１１０上に、マスクを用いた蒸着法などによりＡｇ、Ａｕ、Ａｌなどの金属材料を所望のパターンに堆積させて、第２電極１５０を形成する。ここで、第２電極１５０の端子部１５１が引き出し配線５０に対して接するとともに電気的に接続されるように、第２電極１５０を形成する。
【００４８】
こうして、基材１１０上に有機ＥＬ層２０が形成される。
【００４９】
次に、封止部材１６０の開口端を、接着剤４５を介して基材１１０の周縁部に対して固定し、封止部材１６０と基材１１０との間に形成される密閉領域３０内に有機ＥＬ層２０を封止する。
【００５０】
こうして、図２（ａ）および（ｂ）に示される発光装置１００が得られる。
【００５１】
次に、有機機能層１４０の層構造の例について説明する。
【００５２】
図４は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００５３】
この例において、発光層１４３は、例えば赤色の光を発光する層、青色の光を発光する層又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光素子は白色等の単一の発光色で発光する。
【００５４】
なお、発光層１４３は、複数の色を発光するための材料を混ぜることにより、白色等の単一の発光色で発光するように構成されていても良い。
【００５５】
図５は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光素子は白色等の単一の発光色で発光する。なお、発光層は３層構造に限られない。
【００５６】
本実施例によっても、上記の実施形態と同様の効果が得られる他、以下の効果が得られる。
【００５７】
発光装置１００は、有機ＥＬ層２０へ電流を供給するための電気配線（引き出し配線５０、１３１）を備え、電気配線は、密閉領域３０の外部から、封止部材１６０と基材１１０との固定部４０を通過して、密閉領域３０に導入されている。そして、電気配線において、少なくとも封止部材１６０と基材１１０との固定部４０を通過する部分は、透光性である。このため、封止部材１６０から基材１１０の周縁部へ光が伝達する際に、その光が引き出し配線５０、１３１によって妨げられてしまうことを抑制することができる。よって、発光装置１００の周縁部が暗くなってしまうことをより好適に抑制することができる。
【００５８】
（実施例２）
図６（ａ）は実施例２に係る発光装置１００の正面断面図、図６（ｂ）は実施例２に係る発光装置１００の平面図である。本実施例に係る発光装置１００は、以下に説明する点で、上記の実施形態又は実施例１に係る発光装置１００と相違し、その他の点では、上記の実施形態又は実施例１に係る発光装置１００と同様に構成されている。
【００５９】
本実施例に係る発光装置１００は、透光性の基材１１０と、基材１１０との間に密閉領域３０が形成されるように基材１１０の周縁部に固定された封止部材１６０と、密閉領域３０に配置された有機ＥＬ層２０と、密閉領域３０に配置された発光部２２０と、を備える。有機ＥＬ層２０は、発光層を含み、基材１１０における密閉領域３０側の面に設けられ、少なくとも基材１１０側に向けて光を放射するものである。発光部２２０は、封止部材１６０における密閉領域３０側の面に設けられ、少なくとも封止部材１６０側に向けて光を放射するものである。封止部材１６０は、当該封止部材１６０に入射する光を基材１１０の周縁部に導くものである。
【００６０】
上記の実施形態及び実施例１では、有機ＥＬ層２０が基材１１０側および封止部材１６０側の双方に向けて光を放射するものである例を説明したが、本実施例の場合、有機ＥＬ層２０は、少なくとも基材１１０側に向けて光を放射するものであれば良い。その代わりに、本実施例の場合、発光装置１００は、封止部材１６０側に向けて光を放射する発光部２２０を備えている。
【００６１】
発光部２２０は、有機ＥＬ層２０と同様の有機ＥＬ層であっても良いし、無機ＥＬ層又はＬＥＤ（Ｌｉｇｈｔ  Ｅｍｉｔｔｉｎｇ  Ｄｉｏｄｅ）など、有機ＥＬ層以外の発光方式の発光部であっても良い。
【００６２】
本実施例の場合、発光部２２０は、例えば、封止部材１６０の天面部の内面（密閉領域３０側の面）に設けられている。
【００６３】
発光装置１００は、有機ＥＬ層２０と発光部２２０とを同時に発光させるように構成されている。
【００６４】
本実施例の場合、有機ＥＬ層２０から基材１１０側に向けて放射された光の一部は、基材１１０を透過して発光装置１００の外部に放射される。
【００６５】
一方、発光部２２０から封止部材１６０側に向けて放射された光の一部は、封止部材１６０を通して基材１１０の周縁部に導かれ、基材１１０の周縁部から発光装置１００の外部に放射される。その結果、有機ＥＬ層２０および発光部２２０の発光時において、封止部材１６０と基材１１０との固定部４０、すなわち図６（ｂ）における発光装置１００の周縁部が暗くなってしまうことを抑制することができる。
【００６６】
本実施例によっても、上記の実施形態と同様の効果が得られる。
すなわち、発光装置１００は、透光性の基材１１０と、基材１１０との間に密閉領域が形成されるように基材１１０の周縁部に固定された封止部材１６０と、密閉領域３０に配置された有機ＥＬ層２０と、密閉領域３０に配置された発光部２２０と、を備える。有機ＥＬ層２０は、発光層を含み、基材１１０における密閉領域３０側の面に設けられ、少なくとも基材１１０側に向けて光を放射するものである。発光部２２０は、封止部材１６０における密閉領域３０側の面に設けられ、少なくとも封止部材１６０側に向けて光を放射するものである。封止部材１６０は、当該封止部材１６０に入射する光を基材１１０の周縁部に導くものである。よって、発光部２２０から封止部材１６０側に放射された光の一部は、封止部材１６０を通して基材１１０の周縁部に導かれ、基材１１０の周縁部から発光装置１００の外部に放射される。よって、有機ＥＬ層２０の発光時において、発光装置１００の周縁部が暗くなってしまうことを抑制することができる。よって、例えば、複数の発光装置１００をタイリングした場合などにおいて、隣り合う発光装置１００どうしの境界部が暗くなってしまうことを抑制することができる。
【００６７】
（実施例３）
図７は実施例３に係る発光装置１００の正面断面図である。本実施例では、上記の実施例２に係る発光装置１００のより具体的な構造の例を説明する。
【００６８】
図７に示すように、本実施例の場合、有機ＥＬ層２０の構造は、上記の実施例１（図２（ａ））と同様である。ただし、第２電極１５０は、光を透過する程度に薄い金属薄膜である必要は無い。第２電極１５０は、例えば、有機機能層１４０側から到来する光を基材１１０側に向けて反射する反射電極である。
【００６９】
また、引き出し配線５０、１３１の構造及び配置についても、上記の実施例１（図２（ａ））と同様である。
【００７０】
また、発光部２２０は、例えば、有機ＥＬ層２０と同様の構造の有機ＥＬ層である。図７に示すように、発光部２２０は、例えば、第１電極２３０と、有機機能層２４０と、第２電極２５０と、絶縁部２７０と、を備える。第１電極２３０、有機機能層２４０、第２電極２５０及び絶縁部２７０は、それぞれ第１電極１３０と、有機機能層１４０と、第２電極１５０及び絶縁部１７０と同様のものである。そして、発光部２２０は、有機ＥＬ層２０を上下反転させたような配置となっている。なお、第２電極２５０は、例えば、有機機能層２４０側から到来する光を封止部材１６０側に向けて反射する反射電極である。
【００７１】
第２電極２５０は、端子部２５１を有している。端子部２５１は、絶縁部２７０を乗り越え、封止部材１６０の側壁部の内面を経由して、封止部材１６０の開口端の内縁に達している。そして、端子部２５１は、引き出し配線５０又は端子部１５１に対して、接するとともに電気的に接続されている。
同様に、第１電極２３０は、端子部２３１を有している。端子部２３１は、封止部材１６０の側壁部の内面を経由して、封止部材１６０の開口端の内縁に達している。そして、端子部２３１は、引き出し配線１３１に対して接するとともに電気的に接続されている。
よって、引き出し配線５０、１３１を介して、有機ＥＬ層２０だけでなく発光部２２０へも電流を供給することができる。
【００７２】
本実施例の場合、引き出し配線５０において密閉領域３０の外部に位置する部分と、引き出し配線１３１において密閉領域３０の外部に位置する部分と、の間に電圧を印加することにより、第１電極１３０と第２電極１５０との間に電圧が印加されるとともに、第１電極２３０と第２電極２５０との間にも電圧が印加される。これにより、有機ＥＬ層２０の有機機能層１４０の発光層が発光するとともに、発光部２２０の有機機能層２４０の発光層が発光する。
【００７３】
有機ＥＬ層２０の発光層が発した光の一部は、基材１１０の面１１０ａから、発光装置１００の外部（つまり上記光放出空間）に放射される（取り出される）。
【００７４】
一方、発光部２２０の発光層が発した光の他の一部は、第１電極２３０の上面側から封止部材１６０に入射する。封止部材１６０に入射した光は、上記の実施例１と同様に、封止部材１６０により導かれて基材１１０の周縁部に入射し、基材１１０の下側の面１１０ａから発光装置１００の外部に放射される。
【００７５】
本実施例によっても、上記の実施例２と同様の効果が得られる他、以下の効果が得られる。
【００７６】
発光装置１００は、有機ＥＬ層２０及び発光部２２０へ電流を供給するための電気配線（引き出し配線５０、１３１）を備え、電気配線は、密閉領域３０の外部から、封止部材１６０と基材１１０との固定部４０を通過して、密閉領域３０に導入されている。そして、電気配線において、少なくとも封止部材１６０と基材１１０との固定部４０を通過する部分は、透光性である。このため、封止部材１６０から基材１１０の周縁部へ光が伝達する際に、その光が引き出し配線５０、１３１によって妨げられてしまうことを抑制することができる。よって、発光装置１００の周縁部が暗くなってしまうことをより好適に抑制することができる。
【００７７】
（実施例４）
図８は実施例４に係る発光装置１００の正面断面図である。本実施例に係る発光装置１００は、以下に説明する点で、上記の実施例２又は３に係る発光装置１００と相違し、その他の点では、上記の実施例２又は３に係る発光装置１００と同様に構成されている。
【００７８】
上記の実施例２及び３では、発光部２２０が封止部材１６０の天面部に設けられている例を説明した。これに対し、本実施例の場合、発光部３２０が封止部材１６０の側壁部の内面（密閉領域３０側の面）に設けられている。
【００７９】
発光部３２０は、封止部材１６０の側壁部に向けて（密閉領域３０側とは反対側に向けて）光を放射するように構成されている。
【００８０】
本実施例によっても、上記の実施例２又は３と同様の効果が得られる。
【００８１】
（実施例５）
図９は実施例５に係る発光装置１００の正面断面図である。本実施例に係る発光装置１００は、以下に説明する点で、上記の実施形態又は各実施例に係る発光装置１００と相違し、その他の点では、上記の実施形態又は各実施例に係る発光装置１００と同様に構成されている。
【００８２】
本実施例の場合、封止部材１６０の外面、すなわち封止部材１６０において密閉領域３０側とは反対側の面には、光反射層１６７が形成されている。光反射層１６７は、例えば、封止部材１６０の外面の全面を覆っている。更に、光反射層１６７は、図９に示すように、封止部材１６９の内面の一部分（光取り込み口を除く部分）に形成されていても良い。ただし、光反射層１６７は、封止部材１６０の外面にのみ形成されていても良い。
【００８３】
このように封止部材１６０の表面に光反射層１６７を形成することにより、封止部材１６０に入射した光が封止部材１６０の表面から外部に漏れ出てしまうことを抑制できるので、封止部材１６０に入射した光を効率的に基材１１０の周縁部へと導くことができる。よって、発光装置１００の周縁部が暗くなってしまうことをより好適に抑制することができる。
【００８４】
（実施例６）
図１０は実施例６に係る発光装置１００の正面断面図である。本実施例に係る発光装置１００は、以下に説明する点で、上記の実施形態又は各実施例に係る発光装置１００と相違し、その他の点では、上記の実施形態又は各実施例に係る発光装置１００と同様に構成されている。
【００８５】
上記においては、封止部材１６０がＲ形状部１６１を有する例を説明したが、本実施例の場合、図１０に示すように、封止部材１６０は、Ｒ形状部１６１を有していない代わりに、平面的な面取り形状のテーパー形状部１６２を有している。この場合でも、封止部材１６０の天面部に入射した光を、封止部材１６０の側壁部へとスムーズに導くことができる。その他、本実施例によっても、上記の実施形態又は各実施例と同様の効果が得られる。
【００８６】
（実施例７）
図１１は実施例７に係る発光装置１００の正面断面図である。本実施例に係る発光装置１００は、以下に説明する点で、上記の実施形態又は実施例１に係る発光装置１００と相違し、その他の点では、上記の実施形態又は実施例１に係る発光装置１００と同様に構成されている。
【００８７】
上記の実施形態及び実施例１では、中空型の封止構造を例示したが、本実施例の場合、両面発光型の有機ＥＬ層２０と封止部材１６０との間に隙間が存在していない。封止部材１６０は、例えば樹脂により構成されている。封止部材１６０の外面は、金属層からなる光反射層１６７により覆われている。
【００８８】
本実施例の場合も、上記の実施形態又は実施例１と同様の効果が得られる。
【００８９】
以上、図面を参照して実施形態及び実施例について述べたが、これらは本発明の例示であり、上記以外の様々な構成を採用することもできる。
【符号の説明】
【００９０】
３０ 密閉領域
２０ 有機ＥＬ層
４０ 固定部
５０ 引き出し配線（電気配線）
１００ 発光装置
１１０ 基材
１３１ 引き出し配線（電気配線）
１６０ 封止部材
２２０ 発光部
３２０ 発光部
【図１】
2015026576.tif 000003
【図２】
2015026576.tif 000004
【図３】
2015026576.tif 000005
【図４】
2015026576.tif 000006
【図５】
2015026576.tif 000007
【図６】
2015026576.tif 000008
【図７】
2015026576.tif 000009
【図８】
2015026576.tif 000010
【図９】
2015026576.tif 000011
【図１０】
2015026576.tif 000012
【図１１】
2015026576.tif 000013